(57)【要約】      （修正有）【課題】接続タンク内の接続タンクアジテータの向きを変えることにより、接続タンクからスクリュに送られる供給体の脈動を抑えることにより、ブリッジをなくして円滑な供給体の供給を行うことである。【解決手段】スクリュフィーダ１及びその供給体の供給方法は、計量タンクからの付着性を有する供給体を接続タンク３の接続タンクアジテータ６を介してスクリュ４に供給するようにしたスクリュフィーダ１において、接続タンクアジテータ６の回転軸３Ａａの軸方向３Ａｂは、前記スクリュ４のスクリュ軸方向４Ａａに対して直交している状態で前記接続タンクアジテータ６を回転させることにより、供給体をスクリュ４に供給する構成と方法である。【選択図】図１
2016117559.tif 000002
【特許請求の範囲】
【請求項１】
回転自在に設けられたスクリュ(4)を内設したシリンダ(11)上に設置した接続タンク(3)と、前記接続タンク(3)内に回転自在に設けられた接続タンクアジテータ(6)と、前記接続タンク(3)の上部に設けられた計量タンク(2)と、を備え、
前記計量タンク(2)からの付着性を有する供給体を前記接続タンク(3)の前記接続タンクアジテータ(6)を介して前記スクリュ(4)に供給するようにしたスクリュフィーダにおいて、
前記接続タンクアジテータ(6)の回転軸(3Aa)の軸方向(3Ab)は、前記スクリュ(4)のスクリュ軸方向(4Aa)に対して直交している状態で前記接続タンクアジテータ(6)を回転させることにより、前記供給体を前記スクリュ(4)に供給する構成としたことを特徴とするスクリュフィーダ。
【請求項２】
前記接続タンクアジテータ(6)は、円環状で板状をなす閉環羽よりなることを特徴とする請求項１記載のスクリュフィーダ。
【請求項３】
前記接続タンク(3)は、半球状であることを特徴とする請求項１又は２記載のスクリュフィーダ。
【請求項４】
前記接続タンク(3)の底部開口(3B)は、前記スクリュ軸方向(4Aa)に沿う長手方向(3Ba)を有する長方形(H)で形成されていることを特徴とする請求項１ないし３の何れか１項に記載のスクリュフィーダ。
【請求項５】
回転自在に設けられたスクリュ(4)を内設したシリンダ(11)上に設置した接続タンク(3)と、前記接続タンク(3)内に回転自在に設けられた接続タンクアジテータ(6)と、前記接続タンク(3)の上部に設けられた計量タンク(2)と、を備え、
前記計量タンク(2)からの付着性を有する供給体を前記接続タンク(3)の前記接続タンクアジテータ(6)を介して前記スクリュ(4)に供給するようにしたスクリュフィーダを用い、
前記接続タンクアジテータ(6)の回転軸(3Aa)の軸方向(3Ab)は、前記スクリュ(4)のスクリュ軸方向(4Aa)に対して直交している状態で前記接続タンクアジテータ(6)を回転させることにより、前記供給体を前記スクリュ(4)に供給することを特徴とするスクリュフィーダの供給体の供給方法。
【請求項６】
前記接続タンクアジテータ(6)は、円環状で板状をなす閉環羽よりなることを特徴とする請求項５記載のスクリュフィーダの供給体の供給方法。
【請求項７】
前記接続タンク(3)は、半球状であることを特徴とする請求項５又は６記載のスクリュフィーダの供給体の供給方法。
【請求項８】
前記接続タンク(3)の底部開口(3B)は、前記スクリュ軸方向(4Aa)に沿う長手方向(3Ba)を有する長方形(H)で形成されていることを特徴とする請求項５ないし７の何れか１項に記載のスクリュフィーダの供給体の供給方法。
【発明の詳細な説明】
【技術分野】
【０００１】
本発明は、スクリュフィーダ及びその供給体の供給方法に関し、特に、接続タンク内の接続タンクアジテータの回転軸の軸方向をスクリュ軸方向に対して直交させて、接続タンクアジテータを回転させるための新規な改良に関する。
【背景技術】
【０００２】
従来、用いられていたこの種のスクリュフィーダ及びその供給体の供給方法としては、例えば、特許文献１に示される構成を図４から図６として挙げることができる。
すなわち、図４及び図６において、スクリュフィーダ１の原料を蓄える原料箱２の底部３に、この原料箱２内部から外部にスクリュ４が貫通する原料払い出し用のスクリュコンベア５を設け、上記原料箱２内部の上記スクリュ４より上方に、水平な回転軸６とその回転軸６から偏心した撹拌板７とを有する水平アジテータ８を設けた原料フィーダ１において、上記スクリュ４に上記撹拌板７の回転軌道Ｓ１に向けて突き出した突起９（図６に拡大して示す）を設けた。
【０００３】
従って、前記スクリュ４が回転する時に、前記各突起９によって上方から供給される付着性を有する供給体によって形成される周知のブリッジを破壊して、前記供給体が前記スクリュコンベア５を介して図示しない押出機のシリンダ内に円滑に供給するように構成されている。
【０００４】
また、図２の構成は、特許文献名を特に示していないが、従来から一般に用いられているスクリュフィーダ１の構成である。
図２において、計量台１０上には、スクリュ軸方向４Ａａを有するスクリュ４を内設したシリンダ１１が設けられ、前記シリンダ１１上には接続タンクアジテータ６を内設した接続タンク３が設けられている。
前記接続タンク３上には計量タンクアジテータ５を内設した計量タンク２が設けられている。
【０００５】
前記スクリュ４はギヤボックス７を介して設けられたスクリュ用モータ４Ａによって駆動され、前記接続タンクアジテータ６は前記ギヤボックス７を介して設けられた接続タンクアジテータ用モータ３Ａによって駆動され、前記計量タンクアジテータ５は計量タンクアジテータ用モータ２Ａによって駆動されるように構成されている。
【０００６】
前述の図２の従来構成は、概略的に示したもので、前記接続タンク３は、実際には図３のように構成されている。
すなわち、図３における前記接続タンク３は、半球状よりなり、前記接続タンクアジテータ６は、板部材を円環状にかつ無端状に形成した閉環羽となるように構成され、前記接続タンクアジテータ用モータ３Ａの回転軸３Ａａは前記接続タンクアジテータ６の円中心位置Ｐに位置するように構成されている。
従って、図３で示されるように、前記接続タンク３を平面でみると、前記接続タンクアジテータ６は、前記接続タンク３の底部開口３Ｂの長手方向３Ｂａに重合するように構成されている。
【先行技術文献】
【特許文献】
【０００７】
【特許文献１】特開２００８−７３１５号公報
【発明の概要】
【発明が解決しようとする課題】
【０００８】
従来のスクリュフィーダは、以上のように構成されていたため、次のような課題が存在していた。
すなわち、図４から図６で示される従来構成の場合、原料箱２から落下して供給される付着性を有する供給体（原料）は、回転するスクリュ４の突起９によってかきまわされるため、ブリッジ等は形成されずに供給体が押出機側に供給されるが、このスクリュ４の外周に突起９を設けるためコストアップとなっていた。
【０００９】
また、図２及び図３に示されるスクリュフィーダにおいては、付着性を有する供給体をスクリュフィーダ１で供給する場合、計量タンク２および接続タンク３からスクリュ４への流路中で供給体が固まってしまい流路が閉塞する現象を防ぐために、計量タンクアジテータ５と接続タンクアジテータ６が広く使用されているが、一般的に接続タンクアジテータ６とスクリュ４はギヤボックス７が共用であるため、接続タンクアジテータ６はスクリュ４と平行に取り付けられている。また、広範囲で接続タンクアジテータ６を機能させるために、接続タンクアジテータ６は流路全体に広がった形状をしている。
従来の構造では、接続タンクアジテータ６がスクリュ４の真上を通過する際に、前述したように、平面的にみると、接続タンクアジテータ６とスクリュ４及び底部開口３Ｂが重合するため、計量タンク２及び接続タンク３からスクリュ４への供給体の流れを接続タンクアジテータ６が大きく阻害してしまうため、供給体の流れに不安定な脈動が発生し、それによってブリッジが発生していた。
【００１０】
本発明は、以上のような課題を解決するためになされたもので、特に、接続タンク内の接続タンクアジテータの回転軸の軸方向をスクリュ軸方向に対して直交させることにより、接続タンクからスクリュへの供給体の流れを円滑化するようにしたスクリュフィーダ及びその供給体の供給方法を提供することを目的とする。
【課題を解決するための手段】
【００１１】
本発明によるスクリュフィーダは、回転自在に設けられたスクリュを内設したシリンダ上に設置した接続タンクと、前記接続タンク内に回転自在に設けられた接続タンクアジテータと、前記接続タンクの上部に設けられた計量タンクと、を備え、前記計量タンクからの付着性を有する供給体を前記接続タンクの前記接続タンクアジテータを介して前記スクリュに供給するようにしたスクリュフィーダにおいて、前記接続タンクアジテータの回転軸の軸方向は、前記スクリュのスクリュ軸方向に対して直交している状態で前記接続タンクアジテータを回転させることにより、前記供給体を前記スクリュに供給するようにした構成であり、また、前記接続タンクアジテータは、円環状で板状をなす閉環羽よりなる構成であり、また、前記接続タンクは、半球状である構成であり、また、前記接続タンクの底部開口は、前記スクリュ軸方向に沿う長手方向を有する長方形で形成されている構成であり、また、本発明によるスクリュフィーダの供給体の供給方法は、回転自在に設けられたスクリュを内設したシリンダ上に設置した接続タンクと、前記接続タンク内に回転自在に設けられた接続タンクアジテータと、前記接続タンクの上部に設けられた計量タンクと、を備え、前記計量タンクからの付着性を有する供給体を前記接続タンクの前記接続タンクアジテータを介して前記スクリュに供給するようにしたスクリュフィーダを用い、前記接続タンクアジテータの回転軸の軸方向は、前記スクリュのスクリュ軸方向に対して直交している状態で前記接続タンクアジテータを回転させることにより、前記供給体を前記スクリュに供給する方法であり、また、前記接続タンクアジテータは、円環状で板状をなす閉環羽よりなる方法であり、また、前記接続タンクは、半球状である方法であり、また、前記接続タンクの底部開口は、前記スクリュ軸方向に沿う長手方向を有する長方形で形成されている方法である。
【発明の効果】
【００１２】
本発明によるスクリュフィーダ及びその供給体の供給方法は、以上のように構成されているため、次のような効果を得ることができる。
すなわち、回転自在に設けられたスクリュを内設したシリンダ上に設置した接続タンクと、前記接続タンク内に回転自在に設けられた接続タンクアジテータと、前記接続タンクの上部に設けられた計量タンクと、を備え、前記計量タンクからの付着性を有する供給体を前記接続タンクの前記接続タンクアジテータを介して前記スクリュに供給するようにしたスクリュフィーダにおいて、前記接続タンクアジテータの回転軸の軸方向は、前記スクリュのスクリュ軸方向に対して直交している状態で前記接続タンクアジテータを回転させることにより、前記供給体を前記スクリュに供給することにより、接続タンクアジテータがスクリュに対して直交する方向に回転するため、接続タンクからスクリュへの供給体の流れが従来のように阻害されることがなく、さらに、従来のブリッジの発生を伴うことなく、スクリュフィーダの定量供給性が向上する。
また、前記接続タンクアジテータは、円環状で板状をなす閉環羽よりなることにより、円滑な供給を行うことができる。さらに、接続タンクアジテータの羽の板幅分しかシリンダの底部開口を塞がないため、供給体の流路の安定性に優れており、脈動の抑制に効果がある。
また、閉環状の羽の利点として片持ち構造になる卍型に比べ力学的に形状が安定し、付着性のある原料を撹拌する際の抵抗負荷変動も少なくなるので、羽部材の軽量化と駆動系の軽少化が図れる。
また、前記接続タンクは、半球状であることにより、閉環羽の使用ができる。
また、前記接続タンクの底部開口は、前記スクリュ軸方向に沿う長手方向を有する長方形で形成されていることにより、接続タンクからスクリュ側への供給体の供給が極めて円滑となる。
【図面の簡単な説明】
【００１３】
【図１】本発明によるスクリュフィーダを概略的に示す要部の斜視図である。
【図２】従来のスクリュフィーダを示す断面構成図である。
【図３】従来のスクリュフィーダを概略的に示す要部の斜視図である。
【図４】従来の他のスクリュフィーダを概略的に示す構成図である。
【図５】図４の右側からみた概略構成図である。
【図６】図４のスクリュを拡大して示す斜視図である。
【発明を実施するための形態】
【００１４】
本発明によるスクリュフィーダ及びその供給体の供給方法は、接続タンク内の接続タンクアジテータの回転軸の軸方向をスクリュ軸方向に対して直交させることにより、接続タンクからスクリュへの供給体の流れをブリッジを発生させることなく円滑化することである。
【実施例】
【００１５】
以下、図面と共に本発明によるスクリュフィーダ及びその供給体の供給方法の好適な実施の形態について説明する。
尚、本発明は、従来例として説明した前述の図２及び図３のスクリュフィーダ１とは、接続タンクアジテータ６の回転軸６Ａの軸方向３Ａａをスクリュ４のスクリュ軸方向４Ａａに対して直交させたことが異なることであるため、特に、図２の構成は、本発明の構成に援用することとし、図２及び図３と同一又は同等部分には、同一符号を付して説明する。
図１において、符号３で示されるものは、スクリュフィーダ１の接続タンクであり、この接続タンク３は、半球状よりなり、この接続タンク３内において矢印Ｍの方向に回転自在に配設された接続タンクアジテータ６は、図１の接続タンクアジテータ用モータ３Ａ（但し、その回転軸３Ａａの軸方向３Ａｂはスクリュ４のスクリュ軸方向４Ａａとは９０度異なる）によって回転するように構成されている。
【００１６】
前記接続タンクアジテータ用モータ３Ａは、前記接続タンクアジテータ６の回転軸３Ａａに接続されていることにより、前記接続タンクアジテータ６が回転されるように構成されている。
前記接続タンクアジテータ６は、板部材を円環状にかつ無端状に形成した閉環羽となるように構成され、前記回転軸３Ａａは、前記接続タンクアジテータ６の円中心位置Ｐに位置するように構成されている。
【００１７】
前記接続タンク３の底部に形成された底部開口３Ｂには、スクリュ４を回転自在に有するシリンダ１１が設けられており、前記回転軸３Ａａの軸方向３Ａｂと前記スクリュ４のスクリュ軸方向４Ａａは、互いに直交していることにより、前記接続タンクアジテータ６は、前記スクリュ４のスクリュ軸方向４Ａａに対して直交する方向、すなわち、前記軸方向３Ａｂを中心として回転するため、従来構造と比較すると、前記計量タンク２及び接続タンク３からスクリュ４への供給体（例えば、周知の付着性のある原料）の流れに対して、前記接続タンクアジテータ６の板幅Ｗのみしか対応することはないため、前記供給体の流れにおいて従来のような接続タンクアジテータ６による阻害に起因する不安定な脈動がなく、供給体の流れが均一となる。
【００１８】
前記接続タンク３の底部に形成され前記供給体をスクリュ４に供給するための前記底部開口３Ｂは、図１に示されているように、前記スクリュ４の幅Ｗａ以上には拡張できない制約があるため、開口面積を確保するためには前記スクリュ軸方向４Ａａに沿う長手方向３Ｂａを有する長方形Ｈが最も有利である。
【００１９】
次に、前述の本発明によるスクリュフィーダ及びその供給体の供給方法の要旨とするところは、以下の通りである。
すなわち、回転自在に設けられたスクリュ４を内設したシリンダ１１上に設置した接続タンク３と、前記接続タンク３内に回転自在に設けられた接続タンクアジテータ６と、前記接続タンク３の上部に設けられた計量タンク２と、を備え、前記計量タンク２からの付着性を有する供給体を前記接続タンク３の前記接続タンクアジテータ６を介して前記スクリュ４に供給するようにしたスクリュフィーダにおいて、前記接続タンクアジテータ６の回転軸３Ａａの軸方向３Ａｂは、前記スクリュ４のスクリュ軸方向４Ａａに対して直交している状態で前記接続タンクアジテータ６を回転させることにより、前記供給体を前記スクリュ４に供給するようにした構成と方法であり、また、前記接続タンクアジテータ６は、円環状で板状をなす閉環羽よりなる構成と方法であり、また、前記接続タンク３は、半球状である構成と方法であり、また、前記接続タンク３の底部開口３Ｂは、前記スクリュ軸方向４Ａａに沿う長手方向３Ｂａを有する長方形Ｈで形成されている構成と方法である。
【産業上の利用可能性】
【００２０】
本発明によるスクリュフィーダ及びその供給体の供給方法は、接続タンク内の接続タンクアジテータの回転軸の軸方向をスクリュ軸方向に対して直交させて、接続タンクアジテータを回転させることにより、従来のブリッジの発生を伴うことなく供給体をスクリュに対して円滑に供給することができる。
【符号の説明】
【００２１】
１    スクリュフィーダ
２    計量タンク
２Ａ    計量タンクアジテータ用モータ
３    接続タンク
３Ａ    接続タンクアジテータ用モータ
３Ａａ    回転軸
３Ａｂ    軸方向
３Ｂ    底部開口
３Ｂａ    長手方向
４    スクリュ
４Ａ    スクリュ用モータ
４Ａａ    スクリュ軸方向
５    計量タンクアジテータ
６    接続タンクアジテータ
７    ギヤボックス
１０    計量台
１１    シリンダ
Ｐ    円中心位置
Ｗ    板幅
Ｈ    長方形
【図１】
2016117559.tif 000003
【図２】
2016117559.tif 000004
【図３】
2016117559.tif 000005
【図４】
2016117559.tif 000006
【図５】
2016117559.tif 000007
【図６】
2016117559.tif 000008